(57)【特許請求の範囲】
【請求項１】
互いに対峙する一対のスタッカ間に所定の間隔を設けて一対の回動円柱体を配設するとともに、該一対の回動円柱体のそれぞれの周面軸方向に沿って形成された紙幣案内溝を互いに対向させて配置し、該紙幣案内溝内に紙幣を案内した後、前記一対の回動円柱体を同位相で互いに逆方向へそれぞれ回動させることにより、前記紙幣案内溝内に案内された紙幣を前記一対のスタッカのうちいずれか一方へ収容させるようにした紙幣収容装置において、
前記一対の回動円柱体の回動により紙幣を一方のスタッカ内に収容する際に、他方のスタッカ内に収容された紙幣を前記一対の回動円柱体の周面から離間させる方向へ押圧する紙幣押圧手段を配設したことを特徴とする紙幣収容装置。
【請求項２】
前記紙幣押圧手段は、前記一対の回動円柱体間に配設された板体と、該板体を所定のタイミングで前記一方と他方のスタッカへ向けて移動させ、該一方と他方のスタッカ内に収容した紙幣を押圧する板体移動手段とからなることを特徴とする請求項(1）記載の紙幣収容装置。
【請求項３】
前記紙幣案内溝は、前記各回動円柱体の周面軸方向に沿って一本づつ形成されていることを特徴とする請求項(1）記載の紙幣収容装置。
【請求項４】
前記紙幣案内溝は、前記各回動円柱体の周面軸方向に沿い、所定間隔を設けて二本づつ形成され、かつ各紙幣案内溝の開口端の一方は、周面円周方向に沿い互いに離間する方向へ向けて溝幅が拡大するように傾斜面が形成されていることを特徴とする請求項(1）記載の紙幣収容装置。
【発明の詳細な説明】
【０００１】
【発明の属する技術分野】
この発明は、投入紙幣をスタッカ内に収容する紙幣収容装置に関し、特に二金種の紙幣を互いに対峙して隣接する別々のスタッカ内にそれぞれ分離収容するようにした紙幣収容装置の改良に関する。
【０００２】
【従来の技術】
従来から自動販売機等の機器内には、投入紙幣の真偽を判別するとともに、真券とみなされた紙幣を装置本体内に収容する紙幣処理装置が配設されている。
【０００３】
このような紙幣処理装置では、紙幣投入口から投入された紙幣を、紙幣搬送ベルトあるいは複数の紙幣搬送ローラ等からなる紙幣搬送手段を介し装置本体内へ搬送させるようにしている。
【０００４】
なお、投入紙幣は上述した紙幣搬送手段により搬送される間に、光りセンサー、磁気センサー等の紙幣真偽判別手段によりその真偽が判別され、真券と見なされると、当該投入紙幣はそのまま装置本体内へ搬送され、そこで、紙幣収容装置を介し装置本体内に配設されたスタッカ内に蓄積収容される。なお偽券と判断された紙幣は紙幣投入口から返却される。
【０００５】
図１１は上述した紙幣収容装置１の従来例を示す紙幣処理装置の装置本体２を示す要部断面図で、図示せぬ紙幣搬送手段を介し紙幣は図面上方から図面下方へ向けて案内される。
【０００６】
この断面矩形状の筐体３により構成された装置本体２内には、図面上下方向へ向け互いに対峙するようにそれぞれ別の金種の紙幣を収容する第１のスタッカ４と第２のスタッカ５とが配設され、その間に互いに所定間隔（取り扱う紙幣の幅よりも若干広い幅）を有して一対の回動円柱体６、７からなる紙幣収容装置１が配設されている。なお、図１１で示す装置本体２の第１のスタッカ４は高額の紙幣（例えば１万円札）を収容し、第２のスタッカ５はそれよりも低額の紙幣（例えば千円札）を収容するように設定されている。
【０００７】
この紙幣収容装置１を構成する一対の回動円柱体６、７の各周面には、その軸方向に沿って互いに対向するように一本づつ紙幣案内溝６ａ、７ａが形成されている。
【０００８】
また第１のスタッカ４内に収容された複数枚の紙幣Ａ（一万円札）のうち、その最下面に位置する紙幣Ａ１は収容バネ８の付勢力により回動円柱体６、７の各周面６ｂ、７ｂに常時圧接し、また同様に第２のスタッカ５内に収容された複数枚の紙幣Ｂ（千円札）のうち、その最上面に位置する紙幣Ｂ１も収容バネ９の付勢力により回動円柱体６、７の各周面６ｂ、７ｂに常時圧接している。
【０００９】
このような一対の回動円柱体６、７からなる紙幣収容装置１によると、図示せぬ紙幣搬送手段により新たな紙幣Ｃ（一万円札）が紙幣案内溝６ａ、７ａ内に案内され、その後、図示せぬ回動円柱体駆動手段を介し回動円柱体６、７を同一位相で互いに逆方向（図１１では一方の回動円柱体６を反時計方向、他方の回動円柱体７を時計方向）へ回転させると、紙幣案内溝６ａ、７ａ内に嵌挿された紙幣Ｃは、回転する当該紙幣案内溝６ａ、７ａにより上動し、さらに図１２で示すように紙幣Ｃは回動円柱体６、７の周面６ｂ、７ｂにより第１のスタッカ４に積載収容された複数枚の紙幣Ａの最下面に押し込められて収容される。
【００１０】
なお、一対の回動円柱体６、７が図１２で示す位置へ回転した後、さらに同一方向へ回転を続けると、第１３図に示す回転位置をへて一回転（３６０度回転）し、図１１の初期位置に復帰し、次の新たな紙幣を収容する待機姿勢となる。
【００１１】
なお、紙幣案内溝６ａ、７ａ内に案内される紙幣が千円札の場合は、前述とは異なり一対の回動円柱体６、７は前述したのとは逆方向、即ち一方の回動円柱体６が時計方向へ、また他方の回動円柱体７が反時計方向へそれぞれ同位相で回転することにより、千円札を第２のスタッカ５に収容された紙幣Ｂの最上面に積載集収容した後、さらに回転を続けて（一回転して）図１１の初期位置に再び復帰する。
【００１２】
このようにして紙幣収容装置１は互いに異なる二金種の紙幣をそれぞれ対応する各スタッカ４、５内に積載収容するようにしている。
【００１３】
【発明が解決しようとする課題】
ところで、上述した従来の紙幣収容装置１によると、第１および第２のスタッカ４、５内に収容された各紙幣Ａ、Ｂは、一対の回動円柱体５、６の回転中も常時当該回動円柱体６、７の周面に圧接しているが、その場合、図１３と同一部分を同一符号で示す図１４のように、一方の回動円柱体６が反時計方向へ、また他方の回動円柱体７が時計方向へそれぞれ回転すると、この各回動円柱体６、７の各周面６ｂ、７ｂに圧接する第２のスタッカ５内に収容された紙幣Ｂのうちその最上面配設された紙幣Ｂ１には、摺接する各回動円柱体６、７の各周面６ｂ、７ｂによりその幅方向中央部側へ向けて互いに向きが反対の押圧力Ｆ１、Ｆ２が作用する。
【００１４】
このため第２のスタッカ５内に収容された最上面の紙幣Ｂ１の中央部が大きく湾曲して新たな紙幣を案内する一対の紙幣案内溝６ａ、７ａ（図１１）からなる紙幣案内通路内に侵入し、このため次に紙幣が紙幣案内溝６ａ、７ａ内に案内されると、この紙幣と湾曲した紙幣Ｂ１とが当接して紙幣詰まりを起こす要因となる。
【００１５】
この発明は、上述した事情に鑑み、紙幣詰まりを可及的に阻止するようにした紙幣収容装置を提供することを目的とする。
【００１６】
【課題を解決するための手段】
上述した課題を解決するため、この発明では、互いに対峙する一対のスタッカ間に所定の間隔を設けて一対の回動円柱体を配設するとともに、該一対の回動円柱体のそれぞれの周面軸方向に沿って形成された紙幣案内溝を互いに対向させて配置し、該紙幣案内溝内に紙幣を案内した後、前記一対の回動円柱体を同位相で互いに逆方向へそれぞれ回動させることにより、前記紙幣案内溝内に案内された紙幣を前記一対のスタッカのうちいずれか一方へ収容させるようにした紙幣収容装置において、前記一対の回動円柱体の回動により紙幣を一方のスタッカ内に収容する際に、他方のスタッカ内に収容された紙幣を前記一対の回動円柱体の周面から離間させる方向へ押圧する紙幣押圧手段を配設するようにしている。
【００１７】
【発明の実施の形態】
以下、この発明に係わる紙幣収容装置の一実施例を詳述する。
【００１８】
図１はこの発明に係わる紙幣収容装置１０を装着した紙幣処理装置の装置本体２を示す要部断面図で図１１と同一部分を同一符号で示す。なお、この紙幣収容装置１０においても、搬送された紙幣は図面上方から図面下方へ向けて案内される。
【００１９】
この断面矩形状の筐体３により構成された装置本体２内にも、図面上下方向へ向け互いに対峙するようにそれぞれ別の金種の紙幣を収容する第１のスタッカ４と第２のスタッカ５とが配設されており、その間に本願の紙幣収容装置１０の一部を構成する互いに所定間隔（取り扱う紙幣の幅よりも若干広い幅）を有して一対の回動円柱体６、７が配設されている。なお実施例では第１のスタッカ４は高額の紙幣Ａ（例えば１万円札）を収容し、第２のスタッカ５はそれよりも低額の紙幣Ｂ（例えば千円札）を収容するように設定されている。
【００２０】
そそしてこの一対の回動円柱体６、７の周面にも、その軸方向に沿って互いに対向するように紙幣案内溝６ａ、７ａが形成されている。
【００２１】
また第１のスタッカ４内に収容された複数枚の紙幣Ａ（一万円札）は収容バネ８の付勢力により回動円柱体６、７の各周面６ｂ、７ｂ側に常時付勢されており、同様に第２のスタッカ５内に収容された複数枚の紙幣Ｂ（千円札）も収容バネ９の付勢力により回動円柱体６、７の各周面６ｂ、７ｂ側に常時付勢されている。  次に上述した一対の回動円柱体６、７を回動する円柱体駆動手段１１を詳述する。
【００２２】
この円柱体駆動手段１１は、円柱体駆動モータ１２と、この駆動モータ１２の両側方から突出した駆動軸１３の両端部に固着されたウオームギャ１４、１５と、このウオームギャ１４、１５に歯合するウォームホイール１６、１７と、このウォームホイール１６、１７を支承する軸１８、１９に固着された駆動ギャ２０、２１と、この駆動ギャ２０、２１に歯合する従動ギャ２２、２３とから構成され、この従動ギャ２２、２３のうち、一方の従動ギャ２２は一方の回動円柱体６の先端周面に形成され、また他方の従動ギャ２３は他方の円柱体７の先端周面に形成されている。なお上述したウオームギャ１４、１５は互いに逆ネジとなるように配設されている。
【００２３】
このような、円柱体駆動手段１１によると、モータ１２の駆動軸１３が一方向へ回転すると、上述した各ギャを介して一対の回動円柱体６、７が同一位相で互いに逆方向へ回転し、またモータ１２の駆動軸１３が他方向へ回転すると前述した一対の回動円柱体６、７の回転方向とは逆となるが、同様に同一位相で互いに逆方向へ回転することとなる。
【００２４】
一方、この紙幣収容装置１０では、一対の回動円柱体６、７の間に、一方のスタッカ内に収容された紙幣を前記一対の回動円柱体６、７の周面６ｂ、７ｂから離間させる方向へ押圧する紙幣押圧手段３０が配設されている。
【００２５】
この紙幣押圧手段３０は、前記一対の回動円柱体６、７の軸方向に沿い図面上方から下方へ向けて配設された板体３１と、この板体３１を図面の上下方向へ移動させる板体移動手段４０とから構成されている。
【００２６】
このうち、板体３１の両端部にはそれぞれアーム３１ａ、３１ｂが延設され、その各端部３１ｃ、３１ｄ内には、後述する板体移動手段４０の雄ネジ部に螺合する雌ネジ部３１ｅ、３１ｆが形成されている。なお、この雌ネジ部３１ｅと、雌ネジ部３１ｆは互いに逆ネジとなっている。
【００２７】
一方、板体移動手段４０は、前記第１および第２のスタッカ４、５の各側方にそれぞれ突設された一対のリブ４ａ、５ａ間にそれぞれ回動自在に支承された一対の雄ネジ部４１、４２からなり、この各雄ネジ部４１、４２に前記板体３１の雌ネジ部３１ｅ、３１ｆが螺合している。なお、この雄ネジ部４１と雄ネジ部４２も互いに逆ネジとなっている。
【００２８】
この各雄ネジ部４１、４２の下端には、それぞれウオームホイール４３、４４が固着され、このウオームホイール４３、４４には、それぞれ対応するウォームギャ４５、４６が歯合している。
【００２９】
なお、上述したウオームホイール４３とウオームホイール４４も互いに逆ネジとなっており、またウォームギャ４５とウォームギャ４６も互いに逆ネジとなっている。
【００３０】
また、上述した各ウォームギャ４５、４６は前記円柱体駆動手段１１の駆動モータ１２に隣接して配設された板体駆動モータ４７の駆動軸４２両端部にそれぞれ固着されている。
【００３１】
次に上述した紙幣収容装置１０の作用を説明し、併せて構成をより詳細に説明する。
【００３２】
まず、千円紙幣を第２のスタッカ５内に収容する場合について説明する。
【００３３】
図１に示す一対の回動円柱体６、７の初期位置では、円柱体駆動手段１１によりその周面に形成された各紙幣案内溝６ａ、７ａを互いに対向させた位置に停止させている。
【００３４】
一方、図１に示す初期位置では、紙幣押圧手段３０の板体３１は、互いに同位相で逆方向へ回転する板体移動手段４０の各雄ネジ部４１、４２を介して上動し、第１のスタッカ４内に収容された紙幣Ａを収容バネ８の付勢力に抗して上方に押し込め、当該第１のスタッカ４内に収容された紙幣Ａが一対の回動円柱体６、７の周面６ｂ、７ｂから離間した状態を維持している。
【００３５】
上述した初期位置において、図示せぬ紙幣搬送手段を介し図２で示すように、新たな紙幣Ｅ（千円札）が紙幣案内溝６ａ、７ａ内に案内されると、それを検出する図示せぬ検出手段の検出信号に基づき、円柱体駆動手段１１の円柱体駆動モータ１２が駆動されて駆動軸１３を一方向に回転駆動する。
【００３６】
このように駆動軸１３が一方向に回転駆動されると、その両端に固着されたウオームギャ１４、１５、ウォームホイール１６、１７、駆動ギャ２０、２１、お呼び従動ギャ２２、２３を介してその回転力が一対の回動円柱体６、７に伝達され、一方の回動円柱体６が時計方向へ、また他方の回動円柱体７が反時計方向へ同一位相で所定の回転角度（略１００度程度）回転し、これにより図３で示すように、新たな紙幣Ｅを回動円柱体６、７の周面６ｂ、７ｂにより第２のスタッカ５内に積載収容された複数枚の紙幣Ｂの最上面に押し込めて収容する。
【００３７】
このように、新たな紙幣Ｅを第２のスタッカ５内に収容すべく一対の回動円柱体６、７が所定の回転角度回転したことが図示せぬ検出手段により検出されると、その検出信号に基づき、板体移動手段４０の板体駆動モータ４７が駆動されて、その駆動軸４２を一方向へ回転させる。
【００３８】
このように駆動軸４２が一方向に回転駆動されると、その回転力がウオームギャ４５、４６、ウォームホイール４３、４４を介して一対の雄ネジ部４１、４２に伝達され、当該一対の雄ネジ部４１、４２を同一位相で互いに逆方向へ回転させる。
【００３９】
このように、一対の雄ネジ部４１、４２が同一位相で互いに逆方向へ回転すると、当該雄ネジ部４１、４２に螺合した雌ネジ部３１ｅ、３１ｆを介して板体３１が図４で示すように所定位置へ下動し、第２のスタッカ５内に収容された紙幣Ｂを下方に押し込めて、当該紙幣Ｂを回動円柱体６、７の周面６ｂ、７ｂから離間させる。
【００４０】
このように、板体３１の所定位置への下動が検出されると、その検出信号に基づき再び、円柱体駆動手段１１の円柱体駆動モータ１２を駆動して、今度は駆動軸１３を他方向に回転駆動する。
【００４１】
すると、その両端に固着されたウオームギャ１４、１５、ウォームホイール１６、１７、駆動ギャ２０、２１、および従動ギャ２２、２３を介してその回転力が一対の回動円柱体６、７に伝達され、それにより、一方の回動円柱体６が反時計方向へ、また他方の回動円柱体７が時計方向へ同一位相で所定の回転角度（略１００度程度）回転し、図５で示すように、一対の回動円柱体６、７の周面に形成された各紙幣案内溝６ａ、７ａを互いに対向させた初期位置に停止させる。
【００４２】
このように、一対の回動円柱体６、７の周面に形成された各紙幣案内溝６ａ、７ａが互いに対向する初期位置に停止させた後、それを検出する図示せぬ検出手段の検出信号に基づき、板体駆動モータ４７の駆動軸４２を今度は他方向へ回転させる。
【００４３】
このように駆動軸４２を他方向へ回転駆動すると、その回転力がウオームギャ４５、４６、ウォームホイール４３、４４を介して一対の雄ネジ部４１、４２に伝達され、当該一対の雄ネジ部４１、４２を以前とは逆の方向へ同一位相で互いに逆方向へ回転させる。
【００４４】
このように、一対の雄ネジ部４１、４２が以前とは逆の方向へ同一位相で互いに逆方向へ回転すると、当該雄ネジ部４１、４２に螺合した雌ネジ部３１ｅ、３１ｆを介して板体３１が上動し、第１のスタッカ４内に収容された紙幣Ａをスプリング８の付勢力に抗して上方に押し込めて、図１で示すように、当該紙幣Ａを回動円柱体６、７の周面６ｂ、７ｂから離間させる初期位置に復帰させる。
【００４５】
これにより第２のスタッカ５内への紙幣Ｅの収容作業が終了し、次の紙幣を収容する待機状態に復帰する。
【００４６】
次に、一万円札を収容する場合について説明する。
【００４７】
図１に示す初期位置では、円柱体駆動手段１１により一対の回動円柱体６、７はその周面に形成された各紙幣案内溝６ａ、７ａを互いに対向させた位置に停止している。
【００４８】
一方、図示せぬ制御装置を介し紙幣案内溝６ａ、７ａ内に搬送される紙幣が一万円札である旨の信号が検出されると、その検出信号に基づき板体移動手段４０の板体駆動モータ４７が駆動され、駆動軸４２を一方向へ回転させる。
【００４９】
このように駆動軸４２が一方向に回転駆動されると、その回転力がウオームギャ４５、４６、ウォームホイール４３、４４を介して一対の雄ネジ部４１、４２に伝達され、当該一対の雄ネジ部４１、４２を同一位相で互いに逆方向へ回転させる。
【００５０】
このように、一対の雄ネジ部４１、４２が同一位相で互いに逆方向へ回転すると、当該雄ネジ部４１、４２に螺合した雌ネジ部３１ｅ、３１ｆを介して板体３１が図６で示すように下動し、第２のスタッカ５内に収容された紙幣Ｂを下方に押し込めて、当該紙幣Ｂを回動円柱体６、７の周面６ｂ、７ｂから離間させ、同時に、一対の回動円柱体６、７の各紙幣案内溝６ａ、７ａ間に次の紙幣を案内させるべく、その紙幣搬送路を拡開させる。
【００５１】
このように、紙幣案内溝６ａ、７ａ間の紙幣搬送路を拡開させた後、図７で示すように、図示せぬ紙幣搬送手段を介して新たな紙幣Ｆ（一万円札）を紙幣案内溝６ａ、７ａ内に案内する。
【００５２】
次に、紙幣案内溝６ａ、７ａ内への紙幣Ｆの収容を検出する図示せぬ検出手段の検出信号に基づき、円柱体駆動手段１１の円柱体駆動モータ１２が駆動されて駆動軸１３を他方向に回転駆動する。
【００５３】
このように駆動軸１３が他方向に回転駆動されると、その両端に固着されたウオームギャ１４、１５、ウォームホイール１６、１７、駆動ギャ２０、２１、お呼び従動ギャ２２、２３を介してその回転力が一対の回動円柱体６、７に伝達され、一方の回動円柱体６を反時計方向へ、また他方の回動円柱体７を時計方向へ同一位相で所定の回転角度（略１００度程度）回転させる。
【００５４】
これにより図８で示すように、新たな紙幣Ｆを回動円柱体６、７の周面６ｂ、７ｂにより第１のスタッカ４内に積載収容された複数枚の紙幣Ａの最下面に押し込めて収容する。
【００５５】
このように、新たな紙幣Ｆを第１のスタッカ４内に収容すべく一対の回動円柱体６、７が所定の回転角度回転したことが図示せぬ検出手段により検出されると、その検出信号に基づき、板体移動手段４０の板体駆動モータ４７が駆動されて、その駆動軸４２を他方向へ回転させる。
【００５６】
このように駆動軸４２が他方向に回転駆動されると、その回転力がウオームギャ４５、４６、ウォームホイール４３、４４を介して一対の雄ネジ部４１、４２に伝達され、当該一対の雄ネジ部４１、４２を同一位相で前述とは互いに逆方向へ回転させる。
【００５７】
このように、一対の雄ネジ部４１、４２が同一位相で前述とは互いに逆方向へ回転すると、当該雄ネジ部４１、４２に螺合した雌ネジ部３１ｅ、３１ｆを介して板体３１が上動し、図９で示すように、第１のスタッカ４内に収容された紙幣Ａを再び上方に押し込めて、当該紙幣Ａを回動円柱体６、７の周面６ｂ、７ｂから離間させる。
【００５８】
このように、板体３１の上動を検出する図示せぬ検出手段の検出信号に基づき再び、円柱体駆動手段１１の円柱体駆動モータ１２を駆動して、今度は駆動軸１３を他方向に回転駆動する。
【００５９】
すると、その両端に固着されたウオームギャ１４、１５、ウォームホイール１６、１７、駆動ギャ２０、２１、および従動ギャ２２、２３を介してその回転力を一対の回動円柱体６、７に伝達し、それにより一方の回動円柱体６を反時計方向へ、また他方の回動円柱体７を時計方向へ同一位相で所定の回転角度（略１００度程度）回転し、これにより図１で示す一対の回動円柱体６、７の周面に形成された各紙幣案内溝６ａ、７ａを互いに対向させた初期位置に停止させる。
【００６０】
これにより第１のスタッカ４内への紙幣Ｆの収容作業が終了し、次の紙幣を収容する待機状態に復帰する。
【００６１】
このようにして紙幣収容装置１０は互いに異なる二金種の紙幣Ｅ、Ｆをそれぞれ対応する各スタッカ４、５内に積載収容する。
【００６２】
従って、上述した紙幣収容装置１０によると、図３で示すように、紙幣Ｅを第２のスタッカ５内に収容すべく一対の回動円柱体６、７が回転する際に、第１のスタッカ４内に収容された紙幣Ａは紙幣押圧手段３０の板体３１により当該一対の回動円柱体６、７の周面６ｂ、７ｂから離間しており、このため回転する一対の回動円柱体６、７の周面６ｂ、７ｂに第１のスタッカ４内に収容された紙幣Ａが摺接することはなく、このため紙幣Ａの湾曲変形が可及的に防止されることとなる。
【００６３】
また同様に、図８で示すように、紙幣Ｆを第１のスタッカ４内に収容すべく一対の回動円柱体６、７が回転する際に、第２のスタッカ４内に収容された紙幣Ｂは紙幣押圧手段３０の板体３１により当該一対の回動円柱体６、７の周面６ｂ、７ｂから離間しており、このため回転する一対の回動円柱体６、７の周面６ｂ、７ｂに第２のスタッカ５内に収容された紙幣Ｂが摺接することはなく、このため紙幣Ｂの湾曲変形も可及的に防止されることとなる。
【００６４】
なお、上述した紙幣収容装置１０では、一対の回動円柱体６、７は紙幣を各スタッカ４、５内に収容する際に、従来のごとく一回転して初期位置に復帰するのではなく、所定の回転角度回動して初期位置に復帰するので、その紙幣収容から初期位置復帰までのサイクルが早く、このため迅速に紙幣を各スタッカ内に収容することができることとなる。
【００６５】
なお、上記実施例では一対の回動円柱体６、７のそれぞれの周面軸方向に沿って互いに対向するように一対の紙幣案内溝６ａ、７ａを形成するようにしたが、この発明は上記実施例に限定されることなく、図６と同一部分を同一符号で示す図１０のように、前記各回動円柱体６、７の周面軸方向に沿い、所定間隔を設けて二本づつ紙幣案内溝６ａ、６ｃ、７ａ、７ｃ形成し、かつ各紙幣案内溝６ａ、６ｃ、７ａ、７ｃの開口端の一方６ａ´、６ｃ´、７ａ´、７ｃ´は、周面円周方向に沿い互いに離間する方向へ向けて溝幅が拡大するように傾斜面６ｄ、６ｅ、７ｄ、７ｅを形成するようにしてもよい。
【００６６】
このように、各回動円柱体６、７の周面軸方向に沿い、二本づつ紙幣案内溝６ａ、６ｃ、７ａ、７ｃを形成し、その一方の紙幣案内溝６ａ、７ａを千円紙幣専用の紙幣案内溝とし、また他方の紙幣案内溝６ｃ、７ｃを一万円札専用の紙幣案内溝として各紙幣を収容すると、各紙幣を収容する際に溝幅が拡大した傾斜面６ｄ、６ｅ、７ｄ、７ｅにより収容する紙幣の幅方向両端部の接触による紙幣の折れや曲りを可及的に低減することができる。
【００６７】
【発明の効果】
以上説明したように、本願発明の紙幣収容装置によると、回動円柱体により紙幣を一方のスタッカ内に収容する際に、紙幣押圧手段により他方のスタッカ内に収容された紙幣を回動円柱体の各周面から離間させ、これにより他方のスタッカ内に収容された紙幣を回動円柱体の周面により押し曲げて湾曲させないようにしたため、投入紙幣の詰まりが可及的に防止され、このため一層安定した紙幣収容機能を行う紙幣収容装置を提供することができる。
【図面の簡単な説明】
【図１】図１はこの発明に係わる紙幣収容装置を示す紙幣処理装置の要部断面図。
【図２】図２はこの発明に係わる紙幣収容装置の作用を示す要部断面図。
【図３】図３はこの発明に係わる紙幣収容装置の作用を示す要部断面図。
【図４】図４はこの発明に係わる紙幣収容装置の作用を示す要部断面図。
【図５】図５はこの発明に係わる紙幣収容装置の作用を示す要部断面図。
【図６】図６はこの発明に係わる紙幣収容装置の作用を示す要部断面図。
【図７】図７はこの発明に係わる紙幣収容装置の作用を示す要部断面図。
【図８】図８はこの発明に係わる紙幣収容装置の作用を示す要部断面図。
【図９】図９はこの発明に係わる紙幣収容装置の作用を示す要部断面図。
【図１０】図１０はこの発明に係わる紙幣収容装置の他の実施例を示す要部断面図。
【図１１】図１１は従来の紙幣収容装置の作用を示す紙幣処理装置の要部断面図。
【図１２】図１２は従来の紙幣収容装置の作用を示す紙幣処理装置の要部断面図。
【図１３】図１３は従来の紙幣収容装置の作用を示す紙幣処理装置の要部断面図。
【図１４】図１４は従来の紙幣収容装置の作用を示す紙幣処理装置の要部断面図。
【符号の説明】
４、５…スタッカ
６、７…回動円柱体
６ａ、６ｃ、７ａ、７ｃ…紙幣案内溝
６ｂ、７ｂ…周面
６ｄ、６ｅ、７ｄ、７ｅ…傾斜面
１０…紙幣収容装置
３０…紙幣押圧手段
３１…板体
４０…板体移動手段
【図１】
0003772041.tif 000002
【図２】
0003772041.tif 000003
【図３】
0003772041.tif 000004
【図４】
0003772041.tif 000005
【図５】
0003772041.tif 000006
【図６】
0003772041.tif 000007
【図７】
0003772041.tif 000008
【図８】
0003772041.tif 000009
【図９】
0003772041.tif 000010
【図１０】
0003772041.tif 000011
【図１１】
0003772041.tif 000012
【図１２】
0003772041.tif 000013
【図１３】
0003772041.tif 000014
【図１４】
0003772041.tif 000015